(57)【要約】【課題】カードの反転を必要時のみ実行することで、カードの処理に要する時間を短縮する。【解決手段】挿入されたカード５０の表裏をカード方向検出センサ１４で検出し、カード５０が表裏誤りなく挿入されたか否かを判別する。カード５０に対する処理がサーマルヘッド１３による印刷を伴う処理であって、かつ、カード５０の表裏に誤りがある場合は、反転機構３０によりカード５０を反転させる。カード５０に対する処理がサーマルヘッド１３による印刷を伴わない処理である場合は、カード５０の表裏の正誤にかかわらず、反転機構３０によるカード５０の反転を行わない。【選択図】図３
2010134571.tif 000002
【特許請求の範囲】
【請求項１】
カードに記録されている情報を読み取って所定の処理を行うカード処理装置において、
挿入されたカードの表裏を検出する検出手段と、
前記検出手段の検出結果に基づいて、カードが表裏誤りなく挿入されたか否かを判別する判別手段と、
前記カードの表裏を反転するための反転機構と、
カードに対する処理の種別と、前記判別手段の判別結果とに基づいて、前記反転機構によるカードの反転を制御する制御手段と、
を備えたことを特徴とするカード処理装置。
【請求項２】
請求項１に記載のカード処理装置において、
前記制御手段は、
前記カードに対する処理が印刷を伴う処理であって、かつ、前記判別手段がカードの表裏に誤りがあると判定した場合に、前記反転機構によりカードを反転させ、
前記カードに対する処理が印刷を伴わない処理である場合は、前記判別手段の判別結果にかかわらず、前記反転機構によるカードの反転を行わないことを特徴とするカード処理装置。
【請求項３】
請求項２に記載のカード処理装置において、
前記カードに対する処理が印刷を伴わない処理である場合に、当該カードの情報を更新した後、カードを返却することを特徴とするカード処理装置。
【請求項４】
請求項１に記載のカード処理装置において、
前記制御手段は、
前記カードに対する処理が、カード情報の読み取りを伴う処理であって、かつ、前記判別手段がカードの表裏に誤りがあると判定した場合に、前記反転機構によりカードを反転させ、
前記カードに対する処理が、カード情報の読み取りを伴わない処理である場合は、前記判別手段の判別結果にかかわらず、前記反転機構によるカードの反転を行わないことを特徴とするカード処理装置。
【請求項５】
請求項１ないし請求項４のいずれかに記載のカード処理装置と、
前記カードに対する処理の種別を選択するための接客部と、
を備えたことを特徴とする券発行機。
【発明の詳細な説明】
【技術分野】
【０００１】
本発明は、カードに記録されている情報を読み取って所定の処理を行うカード処理装置、およびそれを搭載した券発行機に関する。
【背景技術】
【０００２】
従来、鉄道の定期券は磁気カードが主流であったが、最近では非接触型自動改札機の普及に伴い、ＩＣカードの定期券が主流となっている。また、料金をチャージして買物にも利用できる機能を備えた定期券や、クレジットカードと兼用した複合型の定期券も登場している。
【０００３】
一方、駅務の自動化の進展に伴い、利用者の操作により定期券を発行する定期券発行機も普及している。この定期券発行機では、新規に購入する定期券だけでなく、定期券情報を更新した継続定期券も購入できるようになっている。継続定期券の購入にあたっては、旧定期券を挿入して所定の情報を入力すると、入力情報に基づいて券に内蔵されたＩＣの定期券情報が更新されるとともに、券面に印刷された情報が書き換えられ、旧定期券が継続定期券となって発行される。券面情報の書き換えは、サーマルヘッドにより行われる。
【０００４】
ところで、カード処理装置においては、挿入するカードの表裏方向に制約のある場合がある。例えば、前述のようなクレジットカード兼用の定期券であれば、一方の面にクレジットカードの情報（クレジット番号やクレジット会社名など）が印刷されており、他方の面に定期券の情報（乗車区間や有効期限など）が印刷されている。したがって、これを定期券発行機に挿入して継続定期券を購入する場合、クレジットカード情報の印刷面を表側にしてカードを挿入すると、裏側の定期券情報の印刷面がサーマルヘッドと対向しないため、定期券情報の書き換えができなくなる。したがって、この場合は、定期券情報の印刷面を表側にしてカードを挿入する必要がある。
【０００５】
一方、クレジットカード兼用の定期券によりクレジット決済をする場合は、定期券情報の印刷面を表側にしてカードを挿入すると、クレジットカード情報の印刷面に設けられている磁気ストライプが磁気ヘッドと対向しないため、磁気ストライプに対する情報の読み書きができなくなり、クレジット決済が不可能となる。したがって、この場合は、クレジットカード情報の印刷面を表側にしてカードを挿入する必要がある。
【０００６】
上記のようなカードの表裏方向の制約は、クレジットカード兼用の定期券だけでなく、通常の定期券や、クレジットカード、キャッシュカード等についても当てはまる。
【０００７】
このようにカードの表裏方向に制約がある場合に、表裏を誤ってカードを挿入すると、カードに対する処理ができなくなるため、従来は、いったんカードを返却し、正しい向きに挿入するよう表示や音声で案内していた。しかし、これでは、返却されたカードを再投入して操作をやり直さねばならず、利用者にとって不便であった。
【０００８】
そこで、表裏を誤ってカードを挿入した場合でも、カードを返却することなく、表裏を自動的に反転して処理を継続することを可能にしたカード処理装置が提案されている。
【０００９】
例えば、下記の特許文献１には、磁気カードが表裏前後どの方向で挿入されたかを判定し、挿入方向が適切でない場合は表裏前後を自動的に修正した後、磁気処理を行うようにしたカード処理装置が記載されている。このカード処理装置においては、表裏前後判定用のセンサで磁気バーコードの読み取りを行い、その結果に基づいてカードの挿入方向を判別する。そして、カードが正常な表裏・前後方向に挿入された場合は、修正を行わずにそのまま通常処理を行い、カードが表裏逆に挿入された場合はカードを反転して表裏を修正し、カードが前後逆に挿入された場合はカードを回転させて前後を修正し、カードが表裏・前後とも逆に挿入された場合は反転と回転により表裏・前後の修正を行うようにしている。
【００１０】
【特許文献１】特開平１１−８５９１３号公報
【発明の開示】
【発明が解決しようとする課題】
【００１１】
上記の特許文献１では、表裏を誤ってカードを挿入した場合は、常にカードの反転処理が実行される。しかしながら、カードの処理種別によっては、例えば料金チャージや残額表示のように、印字処理等を必要としない場合があり、このときはカードの表裏が誤っていても支障は生じない。しかるに、特許文献１においては、そのような場合でもカードの反転処理が行われるため、処理時間が不必要に長くなるという不具合があった。
【００１２】
本発明は、上述した問題点に鑑み、カードの反転を必要時のみ実行することで、カードの処理に要する時間を短縮することが可能なカード処理装置を提供することを目的とする。
【課題を解決するための手段】
【００１３】
本発明に係るカード処理装置は、カードに記録されている情報を読み取って所定の処理を行うカード処理装置において、挿入されたカードの表裏を検出する検出手段と、この検出手段の検出結果に基づいて、カードが表裏誤りなく挿入されたか否かを判別する判別手段と、カードの表裏を反転するための反転機構と、カードに対する処理の種別と、判別手段の判別結果とに基づいて、反転機構によるカードの反転を制御する制御手段とを備えたものである。
【００１４】
本発明では、表裏を誤ってカードが挿入されたことの判別だけでなく、カードに対する処理の種別も考慮してカードの反転を制御するので、カード反転を要しない処理の場合は、反転機構による反転動作を省略することができ、無駄な動作をなくして処理効率を上げることができる。
【００１５】
本発明においては、カードに対する処理が印刷を伴う処理であって、かつ、判別手段がカードの表裏に誤りがあると判定した場合に、反転機構によりカードを反転させ、カードに対する処理が印刷を伴わない処理である場合は、判別手段の判別結果にかかわらず、反転機構によるカードの反転を行わないようにしてもよい。
【００１６】
これによると、印刷を伴うカード処理の場合は、表裏を逆にしてカードを挿入すると、表裏が自動的に反転されて印刷が行われる。一方、印刷を伴わないカード処理の場合は、表裏を逆にしてカードを挿入しても、カードの反転は行われず、本来の処理のみが実行されるので、カードの情報を更新した後、カードを返却することで、処理の迅速化を図ることができる。
【００１７】
また、本発明においては、カードに対する処理が、カード情報の読み取りを伴う処理であって、かつ、判別手段がカードの表裏に誤りがあると判定した場合に、反転機構によりカードを反転させ、カードに対する処理がカード情報の読み取りを伴わない処理である場合は、判別手段の判別結果にかかわらず、反転機構によるカードの反転を行わないようにしてもよい。
【００１８】
これによると、カード情報の読み取りを伴うカード処理の場合は、表裏を逆にしてカードを挿入すると、表裏が自動的に反転されてカード情報の処理が行われる。一方、カード情報の読み取りを伴わないカード処理の場合は、表裏を逆にしてカードを挿入しても、カードの反転は行われないので、本来の処理を行った後にカードを返却することで、処理の迅速化を図ることができる。
【００１９】
本発明に係る券発行機は、上述した本発明のカード処理装置と、カードに対する処理の種別を選択するための接客部とを備えている。この券発行機では、接客部において選択された処理種別と、カードが表裏誤りなく挿入されたか否かの判別結果とに基づいて、カード反転の制御が行われるので、カード反転を要しない処理の場合は、反転機構による反転動作を省略して、券発行処理を迅速に行うことができる。
【発明の効果】
【００２０】
本発明によれば、カードの反転を必要時のみ実行することで、カードの処理に要する時間を短縮することが可能なカード処理装置を提供できる効果がある。
【発明を実施するための最良の形態】
【００２１】
以下、本発明の実施形態を図面に基づいて説明する。図１は、本発明のカード処理装置が搭載された定期券発行機１００のブロック図である。制御部１は、ＣＰＵやメモリ等から構成され、装置全体の動作を制御する。接客部２は、情報の入力および表示を行うタッチパネルを備えている。紙幣処理装置３は、投入された紙幣の鑑別・搬送・収納、および放出する紙幣の繰り出し・鑑別・搬送を行う。硬貨処理装置４は、投入された硬貨の鑑別・搬送・収納、および放出する硬貨の繰り出し・鑑別・搬送を行う。カード処理装置５は、定期券の発行処理を行い、また、不用になった定期券の回収処理を行う。カード処理装置５の詳細については後述する。通信部６は、ホスト装置（図示省略）との間で通信を行う。電源部７は、定期券発行機１００の各部に電源を供給する。
【００２２】
図２は、カード処理装置５のブロック図である。制御部１０は、ＣＰＵやメモリ等から構成され、カード処理装置５の動作を制御する。ＩＣリーダライタ１１は、アンテナコイルを備えており、カードに内蔵されたＩＣに記録されている情報を読み取り、またＩＣに情報の書き込みを行う。磁気ヘッド１２は、カードの磁気ストライプに記録されている情報を読み取り、また磁気ストライプに情報の書き込みを行う。サーマルヘッド１３は、券面の定期券情報の印刷や書き換えを行う。カード方向検出センサ１４は、反射型の光センサからなり、カードの表裏と前後を光学的に検出する。搬送モータ１５は、カードを搬送するための搬送ローラ等を駆動するためのモータである。反転モータ１６は、カードの表裏を反転させる際に、後述の反転機構を駆動するためのモータである。
【００２３】
以上の構成において、制御部１０は、本発明における制御手段および判別手段の一実施形態であり、カード方向検出センサ１４は、本発明における検出手段の一実施形態である。
【００２４】
図３は、カード処理装置５の概略機構図を示している。ＩＣリーダライタ１１は、カード搬送路４０の下側に設けられている。磁気ヘッド１２は、カード搬送路４０の上下に一対設けられている。サーマルヘッド１３は、カード搬送路４０の上側に設けられている。カード方向検出センサ１４は、カード搬送路４０の上下に、左右に間隔をおいて一対設けられている。２１は、カード搬送路４０の複数箇所に上下一対設けられた搬送ローラであり、図２の搬送モータ１５により駆動される。２２は、サーマルヘッド１３と対向して設けられたプラテンローラである。
【００２５】
反転機構３０は、ローラ３１〜３４と、プーリ３５と、これらを支持するフレーム３８とを備えている。ローラ３１とローラ３２との間には、搬送用ベルト３７が架設されている。フレーム３８には軸３６が連結されており、プーリ３５はこの軸３６に固定されている。ローラ３３とローラ３４は、図２の搬送モータ１５により駆動される。そして、ローラ３３の回転が、図示しないギヤを介してローラ３１に伝達され、ローラ３１の回転が、ベルト３７を介してローラ３２に伝達される。また、プーリ３５と反転モータ１６との間には、反転用ベルト３９が架設されている。
【００２６】
挿入口４１から挿入されたカード５０は、反転機構３０の搬送用ベルト３７を介して内部に取り込まれ、搬送ローラ２１により矢印Ａ方向に搬送される。この過程で、カード方向検出センサ１４によりカード５０の表裏が検出され、表裏に誤りがない場合は、サーマルヘッド１３による券面情報の書き換えが行われ、また、磁気ヘッド１２やＩＣリーダライタ１１による記録情報の読み取りおよび／または書き込みが行われる。そして、これらが終了すると、カード５０は、搬送ローラ２１により矢印Ｂ方向に搬送され、反転機構３０の搬送用ベルト３７を介して挿入口４１から排出される。
【００２７】
一方、カードの表裏に誤りがある場合（表裏が逆の場合）は、取り込まれたカード５０は、搬送ローラ２１により矢印Ｂ方向に搬送されて、反転機構３０に送られ、後述の手順によりカードの表裏が反転される。表裏が反転されたカードは、再び搬送ローラ２１により矢印Ａ方向に搬送され、上述したように、サーマルヘッド１３、磁気ヘッド１２、ＩＣリーダライタ１１による処理が行われた後、矢印Ｂ方向に搬送されて挿入口４１から排出される。なお、後述のように、カードの表裏に誤りがある場合でも、印刷処理や磁気処理等を伴わない場合は、反転機構３０による反転は行われない。
【００２８】
図４は、反転機構３０によるカードの反転動作を説明する図である。図４（ａ）において、ローラ３１，３２とローラ３３，３４との間に、カード５０が挟持されている。この状態から、反転モータ１６を駆動し、ベルト３９を介してプーリ３５を矢印ａ方向に回転させると、プーリ３５が固定されている軸３６も一体に回転し、軸３６に連結されたフレーム３８が矢印ｂ方向に回転する。そして、フレーム３８が１８０°回転すると、反転モータ１６は停止し、図４（ｂ）の状態となる。図４（ｂ）では、反転機構３０の上下が図４（ａ）と逆となり、カード５０の表裏が反転されている。
【００２９】
図５、図６は、カード処理の一連の手順を示したフローチャートである。以下、これらのフローチャートに従って、カード処理の手順をさらに詳しく説明する。
【００３０】
図５は、本発明の第１実施形態によるカード処理手順であって、定期券発行機で継続定期券を購入する場合の定期券情報更新処理を示している。この更新処理には、券面に印刷されている定期券情報の更新と、券に記録されている定期券情報の更新とが含まれる。なお、図５において、上位装置の手順は、定期券発行機１００の制御部１（図１）により実行され、カード処理装置の手順は、カード処理装置５の制御部１０（図２）により実行される。後述する図６、図７においても同様である。
【００３１】
ステップＳ１では、ユーザによりカード５０がカード処理装置５の挿入口４１（図３）に挿入される。この場合のカード５０は、非接触式のＩＣカードからなる定期券である。カード５０が挿入されると、ステップＳ２へ移り、カード処理装置５がカード５０を取り込み、カード方向検出センサ１４の検出結果に基づいて、カード５０の表裏・前後の方向を判別する。続くステップＳ３では、挿入されたカード５０が受付可能な媒体か否かを判定し、受付可能な媒体でなければ（ステップＳ３：ＮＯ）、ステップＳ１６へ移行して、ステップＳ１７でカード５０を挿入口４１から返却する。カード５０が受付可能な媒体であれば（ステップＳ３：ＹＥＳ）、ステップＳ４へ移行する。なお、受付可能な媒体か否かは、例えば、挿入口４１付近に設けた図示しないセンサの出力に基づいて判別する。
【００３２】
ステップＳ４では、定期券発行機１００の接客部２（図１）に、カード５０の受付をしたことの表示を行う。そして、ステップＳ５で、ユーザは、接客部２のタッチパネルの画面において、カード５０に対する処理を選択する。例えば、継続定期券の発行であれば、画面に表示されている継続定期券のボタンを選択し、使用開始日や有効効期間等の選択を行う。これらの選択が行われると、定期券発行機１００では、ステップＳ６において、選択された処理が印刷を伴う処理であるか否かを判定する。印刷を伴う処理としては、上述した継続定期券の購入のほか、定期券の払戻し処理、経路変更処理などがある。また、印刷を伴わない処理としては、料金チャージ、残額表示、カード返還時のデポジット金額払戻し、オートチャージ額の設定変更、新カードへの変更処理、他のカードからの金額移し替え処理などがある。
【００３３】
ステップＳ６の判定結果が印刷を伴う処理である場合は（ステップＳ６：ＹＥＳ）、ステップＳ７へ進み、定期券発行機１００からカード処理装置５に対して印刷指示が送られる。カード処理装置５では、印刷指示を受け取ると、ステップＳ８で、カード５０が印刷可能な方向に挿入されているか否か、すなわち、カード５０の表裏に誤りがないか否かを、ステップＳ２での判別結果に基づいて判定する。そして、表裏に誤りがない場合は（ステップＳ８：ＹＥＳ）、ステップＳ１３で定期券発行機１００からカード処理装置５に対してカード情報の更新が指示される。この指示を受けて、カード処理装置５では、ステップＳ１４において、カード５０のＩＣに記録されている定期券情報を、ＩＣリーダライタ１１による書き込みによって更新するとともに、ステップＳ１５で、カード５０の券面に印刷されている定期券情報を、サーマルヘッド１３による印刷で書き換えて更新する。
【００３４】
ステップＳ１４、Ｓ１５での更新処理が終了すると、ステップＳ１６において、定期券発行機１００からカード処理装置５に対してカードの返却指示が送られる。カード処理装置５では、返却指示を受け取ると、ステップＳ１７でカード５０を返却し、返却されたカード５０をユーザがステップＳ１８で抜き取ることにより、一連の動作が終了する。
【００３５】
また、ステップＳ８で、カードが印刷可能な方向に挿入されていない、すなわちカードの表裏に誤りがあると判定された場合は（ステップＳ８：ＮＯ）、ステップＳ９において、定期券発行機１００からカード処理装置５に対してカードの反転指示が送られる。カード処理装置５では、反転指示を受け取ると、ステップＳ１０において、カード５０を反転機構３０へ搬送し、反転機構３０（図３、図４）を駆動して、カード５０の表裏を反転する。そして、ステップＳ１１でカード５０の表裏・前後を判別した後、ステップＳ１２で、カード５０が印刷可能な方向に挿入されているか否か、すなわち、カード５０の表裏に誤りがないか否かを再度判定し、表裏に誤りがない場合は（ステップＳ１２：ＹＥＳ）ステップＳ１３へ移って、以後は上述したステップＳ１４〜Ｓ１８の手順を実行する。一方、表裏に誤りがある場合は（ステップＳ１２：ＮＯ）、ステップＳ１６へ移って、以後は上述したステップＳ１７〜Ｓ１８の手順を実行する。
【００３６】
また、ステップＳ６の判定結果が印刷を伴わない処理である場合は（ステップＳ６：ＮＯ）、ステップＳ７〜Ｓ１２の各処理を実行することなく、ステップＳ１３へ移行し、以後は上述したステップＳ１４〜Ｓ１８の手順を実行する。すなわち、印刷を伴わない処理の場合は、カード５０の表裏の正誤にかかわらず、反転機構３０によるカード５０の反転は行われない。
【００３７】
なお、ステップＳ１５における印刷処理では、ステップＳ２、Ｓ１１での前後判別結果が参照され、カード５０が前後方向に正しく挿入されていれば、通常の印字を行い、カード５０が前後方向を逆にして挿入されていれば、印字データを並び替えた上で印字を行う。したがって、前後方向に関しては、カード５０が正しい方向に挿入されていなくても、カード５０を回転させる等の操作は行わずにデータ上で処理する。
【００３８】
以上のように、図５の手順においては、カード５０に対する処理が印刷を伴う処理であって（ステップＳ６：ＹＥＳ）、かつ、カードの表裏に誤りがあると判定した場合（ステップＳ８：ＮＯ）に、反転機構３０によりカード５０を反転させ（ステップＳ１０）、カード５０に対する処理が印刷を伴わない処理である場合（ステップＳ６：ＮＯ）は、カードの表裏の正誤にかかわらず、反転機構３０によるカード５０の反転を行わないようにしている。
【００３９】
したがって、印刷を伴う継続定期券発行の場合は、表裏を逆にしてカード５０を挿入すると、表裏が自動的に反転されて更新された券面情報が印刷される。一方、印刷を伴わない料金チャージ等の場合は、表裏を逆にしてカード５０を挿入しても、カードの反転は行われず、本来の処理のみが実行されるので、カード５０の情報を更新した後、カード５０を返却することで、処理の迅速化を図ることができる。
【００４０】
図６は、本発明の第２実施形態によるカード処理手順であって、定期券の料金をクレジットカードで支払う場合の決済処理を示している。
【００４１】
ステップＳ２１では、ユーザによりカード５０がカード処理装置５の挿入口４１（図３）に挿入される。この場合のカード５０は、磁気ストライプを有するクレジットカード、または当該クレジットカードを兼用した非接触式のＩＣカードからなる定期券である。カード５０が挿入されると、ステップＳ２２へ移り、カード処理装置５がカード５０を取り込み、カード方向検出センサ１４の検出結果または磁気ヘッド１２の読み取り結果に基づいて、カード５０の表裏・前後の方向を判別する。続くステップＳ２３では、挿入されたカード５０が受付可能な媒体か否かを判定し、受付可能な媒体でなければ（ステップＳ２３：ＮＯ）、ステップＳ３４へ移行して、ステップＳ３５でカード５０を挿入口４１から返却する。カード５０が受付可能な媒体であれば（ステップＳ２３：ＹＥＳ）、ステップＳ２４へ移行する。なお、受付可能な媒体か否かは、例えば、挿入口４１付近に設けた図示しないセンサの出力に基づいて判別する。
【００４２】
ステップＳ２４では、定期券発行機１００の接客部２（図１）に、カード５０の受付をしたことの表示を行う。そして、ステップＳ２５で、ユーザは、接客部２のタッチパネルの画面において、カード５０に対する処理を選択する。例えば、クレジットカードで決済をする場合は、画面に表示されているクレジットカード支払いのボタンを選択し、支払方法（一括／分割）を選択する。これらの選択が行われると、定期券発行機１００では、ステップＳ２６において、選択された処理が磁気処理を伴う処理であるか否かを判定する。磁気処理とは、カードの磁気情報を読み取り、読み取った結果をクレジット会社等の上位決済サーバへ通知し、サーバで認証を行う処理をいう。
【００４３】
磁気処理を伴う処理としては、上述したクレジットカード支払いのほか、デビットカード支払いなどがある。また、磁気処理を伴わない処理としては、他のカードによる支払いや現金支払いがある。例えば、クレジットカード兼用の定期券（カードＡとする）で継続定期券（カードＡを更新したもの）を購入する場合、カードＡでは決済せずに他のカード（カードＢとする）による決済を希望するときは、カードＢを別に受け付けてカードＢで決済が行われるが、この場合のカードＡに対する処理は、磁気処理を伴わない処理となる。現金支払いの場合も同様である。
【００４４】
ステップＳ２６の判定結果が磁気処理を伴う処理である場合は（ステップＳ２６：ＹＥＳ）、ステップＳ２７へ進み、定期券発行機１００からカード処理装置５に対して磁気処理の指示が送られる。カード処理装置５では、磁気処理の指示を受け取ると、ステップＳ２８で、カード５０が磁気処理可能な方向に挿入されているか否か、すなわち、カード５０の表裏に誤りがないか否かを、ステップＳ２２での判別結果に基づいて判定する。そして、表裏に誤りがない場合は（ステップＳ２８：ＹＥＳ）、ステップＳ３３に移行し、磁気ヘッド１２によってカード５０に対する磁気処理（クレジット番号の読み取り等）を行う。
【００４５】
ステップＳ３３での磁気処理が終了すると、ステップＳ３４において、定期券発行機１００からカード処理装置５に対してカードの返却指示が送られる。カード処理装置５では、返却指示を受け取ると、ステップＳ３５でカード５０を返却し、返却されたカード５０をユーザがステップＳ３６で抜き取ることにより、一連の動作が終了する。
【００４６】
また、ステップＳ２８で、カードが磁気処理可能な方向に挿入されていない、すなわちカードの表裏に誤りがあると判定された場合は（ステップＳ２８：ＮＯ）、ステップＳ２９において、定期券発行機１００からカード処理装置５に対してカードの反転指示が送られる。カード処理装置５では、反転指示を受け取ると、ステップＳ３０において、カード５０を反転機構３０へ搬送し、反転機構３０（図３、図４）を駆動して、カード５０の表裏を反転する。そして、ステップＳ３１でカード５０の表裏・前後を判別した後、ステップＳ３２で、カード５０が磁気処理可能な方向に挿入されているか否か、すなわち、カード５０の表裏に誤りがないか否かを再度判定し、表裏に誤りがない場合は（ステップＳ３２：ＹＥＳ）ステップＳ３３へ移って、以後は上述したステップＳ３４〜Ｓ３６の手順を実行する。一方、表裏に誤りがある場合は（ステップＳ３２：ＮＯ）、ステップＳ３４へ移って、以後は上述したステップＳ３５〜Ｓ３６の手順を実行する。
【００４７】
また、ステップＳ２６の判定結果が磁気処理を伴わない処理である場合は（ステップＳ２６：ＮＯ）、ステップＳ２７〜Ｓ３３の各処理を実行することなく、ステップＳ３４へ移行し、以後は上述したステップＳ３５〜Ｓ３６の手順を実行する。すなわち、磁気処理を伴わない処理の場合は、カード５０の表裏の正誤にかかわらず、反転機構３０によるカード５０の反転は行われない。
【００４８】
以上のように、図６の手順においては、カード５０に対する処理が磁気処理を伴う処理であって（ステップＳ２６：ＹＥＳ）、かつ、カードの表裏に誤りがあると判定した場合（ステップＳ２８：ＮＯ）に、反転機構３０によりカード５０を反転させ（ステップＳ３０）、カード５０に対する処理が磁気処理を伴わない処理である場合（ステップＳ２６：ＮＯ）は、カードの表裏の正誤にかかわらず、反転機構３０によるカード５０の反転を行わないようにしている。
【００４９】
したがって、磁気処理を伴うカード処理の場合は、表裏を逆にしてカード５０を挿入すると、表裏が自動的に反転されて磁気処理が行われる。一方、磁気処理を伴わないカード処理の場合は、表裏を逆にしてカード５０を挿入しても、カードの反転は行われないので、本来の処理を行った後にカード５０を返却することで、処理の迅速化を図ることができる。
【００５０】
本発明は、以上述べた以外にも、種々の実施形態を採用することができる。例えば、図５の実施形態では、定期券発行機１００で継続定期券を購入する場合の券面印刷情報の書き換えを例に挙げたが、本発明は、プリペイドカードの裏面に印刷されている残額情報を書き換えるような場合にも適用することができる。
【００５１】
また、図６の実施形態では、定期券発行機１００で定期券を購入する場合の決済処理を例に挙げたが、本発明は、定期券に限らず他の物品やサービスを購入する場合のクレジット決済やデビット決済にも適用することができる。
【００５２】
また、図６の実施形態では、クレジット情報が磁気記録されたカードを例に挙げたが、本発明は、クレジット情報がＩＣに記録された接触式のＩＣカードを用いて決済処理を行う場合にも適用することができる。この場合は、カード搬送路４０（図３）の上側に、ＩＣカードの端子と接触する接触子が別に設けられる。また、図６のフローチャートのステップＳ２６、Ｓ２７、Ｓ２８、Ｓ３２、Ｓ３３の「磁気処理」が「ＩＣ処理」に置き換わる。ＩＣ処理とは、カードのＩＣに記録されている情報を読み取り、読み取った結果をクレジット会社等の上位決済サーバへ通知し、サーバで認証を行い、また必要に応じてカードのＩＣへ書き込みを行う処理をいう。
【００５３】
また、本発明における反転機構は、図４に示した反転機構３０に限定されるものではなく、他の構造を備えた反転機構、例えば前記の特許文献１に示されるような反転機構であってもよい。
【００５４】
また、図５の実施形態においては、カード５０の前後方向に誤りがあった場合に、カード５０を回転させずに印字データを並び替えて印字を行う例を挙げたが、前後方向に誤りがあった場合にカードを回転させる回転機構を設けてもよい。この回転機構としては、特許文献１に示されているような機構を利用してもよい。
【００５５】
さらに、上述した定期券発行機１００は、定期券発行の機能のみを有する専用機に限らず、切符を発行する自動券売機に定期券発行の機能を付加したものであってもよい。また、本発明に係る券発行機は、定期券発行機に限らず、例えば、ＩＣカードに所定の情報を印刷して当該カードを発行する券発行機であってもよい。
【図面の簡単な説明】
【００５６】
【図１】本発明のカード処理装置が搭載された定期券発行機のブロック図である。
【図２】カード処理装置のブロック図である。
【図３】カード処理装置の概略機構図である。
【図４】反転機構によるカードの反転動作を説明する図である。
【図５】本発明の第１実施形態によるカード処理手順を示したフローチャートである。
【図６】本発明の第２実施形態によるカード処理手順を示したフローチャートである。
【符号の説明】
【００５７】
５    カード処理装置
１０  制御部
１１  ＩＣリーダライタ
１２  磁気ヘッド
１３  サーマルヘッド
１４  カード方向検出センサ
１５  搬送モータ
１６  反転モータ
３０  反転機構
５０  カード
１００  定期券発行機
【図１】
2010134571.tif 000003
【図２】
2010134571.tif 000004
【図３】
2010134571.tif 000005
【図４】
2010134571.tif 000006
【図５】
2010134571.tif 000007
【図６】
2010134571.tif 000008